(57)【要約】  無線アクセスネットワークの移動局または基地局の受信装置（１０）のフィルタ（１２）を作動させる方法、並びに、対応する機器を作動させる方法であって、同一チャネル干渉を抑える際に利用され、受信信号の同相（Ｉ）成分と直交位相（Ｑ）成分との分離に基づいて、並びに、１つ１つのシンボル毎の白色化に基づいてこの方法は利用される。すなわち白色化処理は１つのシンボル内で行われる。本発明は、（本発明に基づくものであれ、そうでないものであれ）ＩＱ白色化を行うモジュール（１２ｂ）を備えたフィルタ（１２）を提供するものであり、さらに、上記受信信号のキャラクタに依存して、また、特にノイズプラス干渉相関行列（）に基づいて、ＩＱ白色化を作動可能にしたり、作動不能にしたりするのに利用可能なスイッチ（１２ａ）も提供するものである。
2007528132.tif 000002
【特許請求の範囲】
【請求項１】
各々が同相成分と直交位相成分とを有する複数のシンボルの無線伝送を、通信チャネルを介して受信する際に、無線通信システムの受信装置が利用する方法であって、一連のサンプルを出力するために、前記無線伝送の受信およびサンプリングを行うステップ（１１）と、前記一連のサンプルのフィルタリングを行うステップ（１２）とを有し、
前記一連のサンプル値のフィルタリングを行うステップ（１２）が、前記サンプルの前記同相成分と直交位相成分双方の成分の相関に関する情報を含むノイズプラス干渉相関行列（＜Ｒii＞）
【数１】
2007528132.tif 000035
を前記一連のサンプル内の各サンプルについて評価することにより、１つ１つのサンプルに基づいて前記サンプルの白色化を行うステップ（１２ｂ）を含むことを特徴とする方法。
【請求項２】
前記フィルタリングステップ（１２）が、
前記サンプルの白色化ステップ（１２ｂ）のオン／オフの切替えを行うステップ（１２ａ）を含み、前記通信チャネルが感度制限されているかどうかの判定に基づいて前記切替えを行い、それによって実質的に白色として特徴づけることができるノイズが存在するようにすることを特徴とする請求項１に記載の方法。
【請求項３】
距離（Ｍtc，Ｍti）の計算値および対応する所定のしきい値（τtc，τti）に基づいて、前記通信チャネルが感度制限されているかどうかの判定を行う請求項２に記載の方法。
【請求項４】
前記距離（Ｍtc）が前記ノイズプラス干渉相関行列（＜Ｒii＞）の異なる成分を示す相対値に基づく請求項３に記載の方法。
【請求項５】
【数２】
2007528132.tif 000036
によって定義される距離（Ｍti）の値の比較に基づいて前記切替えを行う請求項３に記載の方法。
【請求項６】
前記ノイズプラス干渉相関行列（＜Ｒii＞）と関連する二次あるいはそれより高次の前記ノイズプラス干渉信号（ｉk）のチェックに基づいて前記切替えを行う請求項３に記載の方法。
【請求項７】
【数３】
2007528132.tif 000037
を用いて前記ノイズプラス干渉相関行列（＜Ｒii＞）を決定することをさらに特徴とする請求項１に記載の方法。
【請求項８】
【数４】
2007528132.tif 000038
を用いて１つのシンボルを表す個々のベクトルｙkを白色化し、前記ノイズプラス干渉相関行列（＜Ｒii＞）の平方根の逆としてＷを定義し、それによって、
【数５】
2007528132.tif 000039
とすることをさらに特徴とする請求項７に記載の方法。
【請求項９】
異なる可能性のあるアンテナから得られるサンプルを含む１以上のサンプルによって個々のシンボルを示す請求項１に記載の方法。
【請求項１０】
無線通信システムの一部として、または、無線通信システムと共に用いられる受信装置であって、請求項１に記載のステップ（１２ａ  １２ｂ）を実行する手段（１２）を備えることを特徴とする受信装置。
【請求項１１】
前記受信装置が移動局の一部である請求項１０に記載の受信装置。
【請求項１２】
前記受信装置が前記無線通信システムの無線アクセスネットワークの基地局である請求項１０に記載の受信装置。
【請求項１３】
無線通信システムの一部として、または、無線通信システムと共に用いられる移動局と基地局とであって、各々が受信装置を備えた移動局と基地局とを備えるシステムにおいて、前記受信装置のうちの少なくとも１つが、請求項１に記載のステップ（１２ａ  １２ｂ）を実行する手段を備えることを特徴とするシステム。
【発明の詳細な説明】
【技術分野】
【０００１】
本発明はデジタル通信用受信装置の技術分野に関する。特に、本発明は、例えば携帯電話内のデジタル受信装置などを含む受信装置における干渉の除去に関するものである。
【背景技術】
【０００２】
セルラ電話ネットワークおよびその他の無線電話ネットワークにおける主要な限界の１つがいわゆる同一チャネル干渉であることはよく知られていることである。ＧＳＭ（移動通信用広域システム）／ＧＰＲＳ（一般パケット無線サービス）／ＥＤＧＥ（次世代ＧＳＭ用拡張型データレート）などの時分割多元接続（ＴＤＭＡ）ネットワークの場合、同一チャネル干渉は、主として周波数再利用と名付けられるもの、すなわち、割り当てられたスペクトル内の同一の周波数が、異なるセル内で利用されることによって生じる。そのため、再利用係数に依存して、携帯電話が受信した信号には、現在のセルに対する所望のフォワードチャネルだけでなく、その他のセルで始まるチャネルも含まれることになる。
【０００３】
同一チャネル干渉を抑える従来技術には、発明者Ｏｔｔｅｒｓｔｅｎ、ＫｒｉｓｔｅｎｓｓｏｎおよびＡｓｔｅｌｙによる、２０００年５月３１日の優先日を持つ国際公開番号ＷＯ０１／９３４３９の“受信装置”、並びに、発明者Ｈｕｓｅｙｉｎ  ＡｒｓｌａｎおよびＡｌｉ  Ｓ．Ｋｈａｙｒａｌｌａｈによる２００１年９月１９日の優先日を持つ米国特許出願第２００３／００６３５９６号の“空間的・時間的白色化を利用する受信システムにおいて同一チャネル干渉を打ち消す方法および装置”も含まれる。ＷＯ０１／９３４３９に開示されている受信装置は、（同一チャネル）干渉が色付きノイズであると考えられるものであり、ノイズが白色化される場合、信号利得の達成が可能となるという周知の事実に基づく装置である。ＷＯ０１／９３４３９の新規性は、受信信号の実数成分と虚数成分すなわち同相成分と直交位相成分の分離から生じる追加の自由度を利用することによって効率のよい白色化を提供するフィルタであることを主張するものである。同一チャネル干渉の抑制に関して、ＵＳ２００３／００６３５９６の示すところはＷＯ０１／９３４３９の場合と同様である。
【０００４】
ＷＯ０１／９３４３９では、次数Ｋを持つＩＩＲ（無限インパルス応答）プロセスとして干渉がモデル化され、（その結果）Ｋ（またはＫ＋１）個のフィルタタップを持つ（多次元）ＦＩＲ（有限インパルス応答）フィルタによって白色化処理が実行される。この白色化処理後、言うまでもなく所望の信号のインパルス応答が変更される。特に、白色化フィルタを使用する畳込みに起因して、ＷＯ０１／９３４３９の白色化処理には、本明細書で“増加チャネル長問題”と呼ぶ問題が生じる。すなわち所望の信号のインパルス応答がより長くなり、さらに複雑な等化器や増加チャネル長を考慮する何らかのメカニズムを備えた少なくとも改変した等化器が必要となる（そうしなければ、受信装置はパフォーマンスロスを招くことになる）。ＷＯ０１／９３４３９による白色化処理を受信装置によって行う場合、この増加チャネル長問題のために受信装置の等化器の改変が必要となる。
【０００５】
さらにＷＯ０１／９３４３９の白色化処理を利用して獲得できる達成可能なパフォーマンスは、ＦＩＲフィルタのタップ数を示すモデルパラメータＫに左右される。一般に、このＫが高ければ高いほど利得は高くなるが、Ｋが或る一定のしきい値（このしきい値は抑制対象の特定の干渉に依存するため実際には事前にはわからない）を超えた場合、ＦＩＲフィルタ係数を発見するという問題には悪条件となる。すなわちＦＩＲフィルタを発見できなくなる。
【０００６】
したがって必要なことは、よりロバストで、複雑さのより少ないノイズ白色化に基づいて同一チャネル干渉を抑える方法であって、ＧＳＭ（移動通信用広域システム）／ＥＤＧＥ（次世代ＧＳＭ用拡張型データレート）受信装置のような既存の受信装置の中へより簡単に組み込むことができる方法を提供することである。
【発明の開示】
【発明が解決しようとする課題】
【０００７】
したがって、本発明の第１の態様では、個々に同相成分と直交位相成分とを有する複数のシンボルの無線伝送を通信チャネルを介して受信する際に、無線通信システムの受信装置によって利用される方法が提供され、上記方法は、一連のサンプルを出力するために上記無線伝送の受信とサンプリングとを行うステップと、上記一連のサンプルのフィルタリングを行うステップも含む方法において、一連のサンプルのフィルタリングステップが、サンプルの同相成分と直交位相成分との双方の成分の相関に関する情報を含むノイズプラス干渉相関行列を一連のサンプル内の各サンプルについて評価することにより、１つ１つのサンプルに基づいてサンプルの白色化を行うステップを含むことを特徴とする。
【課題を解決するための手段】
【０００８】
本発明の第１の態様によれば、上記フィルタリングステップは、サンプルの白色化ステップのオン／オフの切替えを行うステップであって、実質的に白色として特徴づけることができるノイズが存在するように通信チャネルが感度制限されているかどうかの判定に基づいて切替えを行うステップをさらに特徴とする。
【０００９】
また、本発明の第１の態様によれば、通信チャネルが感度制限されているかどうかの判定は、距離の計算値および対応する所定のしきい値に基づいて行うようにしてもよい。さらに、距離はノイズプラス干渉相関行列の異なる成分を示す相対値に基づくものであってもよい。さらに、また上記切替えは、
【数１】
2007528132.tif 000003
によって定義される距離の値の比較に基づいて行うようにしてもよい。さらに、ノイズプラス干渉相関行列と関連する二次あるいはそれより高次のノイズプラス干渉信号（ｉk）のチェックに基づいて切替えを行うようにしてもよい。
【００１０】
また、本発明の第１の態様によれば、上記方法は、ノイズプラス干渉相関行列が、
【数２】
2007528132.tif 000004
を用いて決定されることをさらに特徴とするものであってもよい。さらに、上記方法は、１つのシンボルを表す個々のベクトルｙkが、
【数３】
2007528132.tif 000005
を用いて白色化され、ノイズプラス干渉相関行列＜Ｒii＞
【数４】
2007528132.tif 000006
の平方根の逆としてＷを定義し、それによって、
【数５】
2007528132.tif 000007
とすることをさらに特徴とするものであってもよい。
【００１１】
また、本発明の第１の態様によれば、個々のシンボルは、異なる可能性のあるアンテナからのサンプルを含む１以上のサンプルによって指示されるものであってもよい。
【００１２】
本発明の第２の態様は、無線通信システムの一部として、または、無線通信システムと共に用いられる受信装置であって、本発明の第１の態様による方法ステップを実行する手段を提供するものである。さらに、上記受信装置は移動局の一部であってもよい。さらに、上記受信装置は無線通信システムの無線アクセスネットワークの基地局であってもよい。
【００１３】
本発明の第３の態様は、無線通信システムの一部として、または、無線通信システムと共に用いられる移動局と基地局とであって、個々に受信装置を備えた移動局と基地局とを具備するシステムにおいて、受信装置のうちの少なくとも１つが、本発明の第１の態様による方法ステップを実行する手段を具備することを特徴とするシステムを提供するものである。
【００１４】
本発明が解決する問題のうちの１つとして、本発明が増加チャネル長問題を生じることがない、すなわちＩＱ白色化フィルタ前と、ＩＱ白色化フィルタ後とにおけるチャネルタップ数が同じであるということが挙げられる。
【００１５】
本発明の上記目的、特徴および利点および本発明のその他の目的、特徴および利点は、添付図面と関連して以下に示す詳細な説明について考慮することから明らかになる。
【発明を実施するための最良の形態】
【００１６】
本発明は、新規のいわゆるＩＱ白色化処理を用いて、無線通信システムの受信装置において同一チャネル干渉を抑える方法と、干渉をモデル化する新規の方法とを提供するものである。特に、白色化処理は１つのシンボル内で行われる。上述のＷＯ０１／９３４３９に提示された処理手順を用いても、１つのシンボル内で白色化を行うことは、不可能である。というのは、そうすることは、（ＦＩＲフィルタのタップ数を指示する）モデルパラメータＫを０にセットすることを意味し、その結果、ＦＩＲフィルタがまったく白色化を行わない単位行列になるからである。
【００１７】
さらに、本願発明者らは、干渉（またはノイズ）がすでに実質的に白色であるときすなわち白色化処理を行う前に、（干渉を抑える）白色化干渉信号によってパフォーマンスロスが生じることを観察した。このようなパフォーマンスロスの発生を避けるために、本発明では干渉信号の白色の程度に対応する白色化のオン／オフの切替えが設けられる。
【００１８】
以下の説明では、本発明を実施する受信装置はシンボル当たり２つのサンプルを用いて作動することが想定されている。これは好ましい実施構成であるが、本発明はシンボル当たりどのような数の入力サンプルであっても適用可能である。追加サンプルが、受信装置のフロントエンドに在るＡ／Ｄ（アナログからデジタルへの）変換器から直接利用できない場合、内挿によってシンボル当たりのサンプル数を増やすことも可能である。また、以下の説明は、単一アンテナの受信装置を想定するものであり、これは本発明が最も有効になる状況である。しかし、本発明は２以上の受信装置用アンテナに対しても容易に拡張可能であり、さらに、異なるアンテナから受信したサンプルを分数サンプルとして処理することが可能である。例えば、単一のアンテナからシンボル当たり２つのサンプルが利用可能な場合、または、２つのアンテナからシンボル当たり１つのサンプルが利用可能な場合、アルゴリズムは同じになる。さらに、本発明は、２相ＰＡＭ（パルス振幅変調）に関して説明されるので、以下の説明から明らかなように、区間（−１，１）すなわちＸk、i∈（−１，１）にシンボルｘを限定しているが、本発明に関して上記間隔を限定するものは何もなく、本発明は、ＢＰＳＫ（２相位相偏移キーイング）、ＭＳＫ（最小シフトキーイング）を含む、任意の種類の２相変調またはマルチレベルＰＡＭ（パルス振幅変調）が採用されているシステムにおいて適用可能性を有する。言うまでもなく、本発明は２相オフセットＱＡＭおよび４相（ｑｕａｔｅｒｎａｒｙ）オフセットＱＡＭのようなオフセットＱＡＭ変調に対しても適用可能である。というのは、シンボルに適切な回転を行なわせることにより、上記オフセットＱＡＭは２相または４相ＰＡＭ信号と見なすことができるからである。特に、２相変調によってほぼ正確にＧＭＳＫを近似することが可能であることが周知であるため、ＧＳＭおよびブルートゥースで用いられるＧＭＳＫ（最少偏移キーイング）変調などに本発明は適している。
【００１９】
次に図１を参照してわかるように、本発明を実施できるタイプの受信装置が示されている。この受信装置には、１以上のアンテナと、選択された通信チャネルで信号を受信し、信号のサンプリングを行って、サンプリング済み受信信号ｙ（ｎＴ）を出力する同調用機器とを備えたフロントエンド１１、ここでＴは連続するシンボル（の伝送）間の時間（すなわちシンボルレートの逆数）を表し、ｎ＝ｋ＋９／ｌ、ここでｋはすべての送信済みシンボルの連続する添え字、ｑは０から１までのオーバサンプリング用添え字、ｌはオーバサンプリング係数、すなわちシンボル当たりのサンプル数（または受信装置用アンテナ数、または、オーバサンプリング係数×受信装置用アンテナ数）と、サンプリングした受信信号をフィルタして、同一チャネル干渉とノイズとを除去し、フィルタ済みサンプル信号＜ｙk＞
【数６】
2007528132.tif 000008
（すなわちフィルタ済み信号サンプルの連続）を生成するようにする本発明に準拠するフィルタ１２と、フィルタ済み信号サンプル＜ｙk＞に対応するシンボルｘ（すなわち受信信号の１以上のサンプルに対応する個々のシンボルｘ）を決定する検出器１３とが含まれる。
【００２０】
フロントエンド１１として図１に示されているものは、本発明が提供する機能から分離可能な、受信装置の作動に必要な多数の異なる機能を表すものであり、例えば、（ＧＭＳＫ変調用として必要な場合などの）チャネル推定手段、周波数オフセット手段、ＤＣオフセット補償手段、信号反転手段のようなものである。図１に示すように、基本的に、フロントエンド１１は、受信信号、並びに、推定済みの離散的チャネルインパルス応答ｈ（ｓＴ）からなるベースバンドサンプルｙ（ｎＴ）を出力として提供するものである。ただし、ｓ＝ｍ＋ｑ／ｌであり、ｍは０からν（０≦ｍ≦ν）まで連続し、ｖはチャネルインパルス応答長−１に等しい。
【００２１】
次に図２を参照してわかるように、本発明に準拠するフィルタ１２はＩＱ白色化を実行するモジュール１２ｂを備えているが、上述のように、フィルタ１２の好適実施形態でＩＱ白色化を実行するのに必ずしも利点があるとはかぎらないため、以下さらに詳細に説明するように、スイッチモジュール１２ａが設けられ、スイッチモジュール１２ａによって計算される距離と、所定のしきい値との比較に対応して、２つのフィルタリングモジュール１２ｂ〜ｃのうちの一方の間で切替えを行う。スイッチモジュール１２ａは、（本発明に基づくものであれ、そうでないものであれ）ＩＱ白色化を実行するフィルタモジュール１２ｂか、白色化を実行しないフィルタモジュール１２ｃかのいずれかの間で切り替わることになる。
【００２２】
まず、ＩＱフィルタリングモジュール１２ｃと関連して本発明について説明し、次いでスイッチ１２ａと関連して本発明について説明する。
【００２３】
以下の説明の中で、ｌ＝２のオーバサンプリング係数によるオーバサンプリングが想定され、チャネルデータ入力ｘkおよびサンプリングされたチャネルインパルス応答ｈmで表される受信信号サンプルｙkが、
【数７】
2007528132.tif 000009
としてブロック１１の出力部に書き込まれる。ただし、０≦ｍ≦νで、νはチャネルインパルス応答長−１である。上付添字ｊは、選択された通信チャネルでの個々の信号用添え字を示し、ｊ＝０は所望の信号を示し、その他のｊの値は同一チャネル干渉を示し、
【数８】
2007528132.tif 000010
を用いて、一連のシンボル（の伝送）間の時間を表すためにＴを使用する。Ｎf個の受信サンプルブロックを
【数９】
2007528132.tif 000011
あるいはより簡潔に、
【数１０】
2007528132.tif 000012
と定義することが可能であり、上式には所望の信号
【数１１】
2007528132.tif 000013
およびノイズプラス（同一チャネル）干渉信号
【数１２】
2007528132.tif 000014
が含まれる。便宜上、本願では添え字（サンプルカウンタ）ｋに対応する時点にノイズプラス干渉信号ｉkを４×１ベクトルとして下記のように定義する：
【数１３】
2007528132.tif 000015
【００２４】
次に、白色化受信信号サンプル＜ｙ＞を出力するためにフィルタ処理Ｌ-1を以下のように定義する：
【数１４】
2007528132.tif 000016
ただし、本発明によれば、
【数１５】
2007528132.tif 000017
であり、上式で＜Ｒii＞は、下式により与えられる４×４ノイズプラス干渉相関行列である：
【数１６】
2007528132.tif 000018
ここで、Ｅ［...］は空間平均をとる数学的演算である。干渉がサイクロ定常確率過程から生じるため、時間平均によって期待値演算を置き換えることが可能となる。すなわち、
【数１７】
2007528132.tif 000019
【００２５】
したがって、１つのシンボルを表す個々の４×１ベクトルｙkは、
【数１８】
2007528132.tif 000020
として白色化が可能となる。ただしＷは、下記の正定符号のエルミート行列＜Ｒii＞の平方根の逆数として定義することができる。
【数１９】
2007528132.tif 000021
【００２６】
好適実施形態では、エルミート行列＜Ｒii＞はノイズプラス干渉相関行列であり、好適実施形態では白色化行列
【数２０】
2007528132.tif 000022
は、＜Ｒii＞のコレスキー分解の逆演算として得られる。上記とは別に、白色化行列Ｗは、＜Ｒii＞の任意の分解、すなわち、
【数２１】
2007528132.tif 000023
によって示される任意の分解によって得ることが可能である。あるいは
【数２２】
2007528132.tif 000024
によって示されるように、例えば、特異値分解（ＳＶＤ）によって行われるような＜Ｒii＞の任意の分解によって得られる。このような場合、白色化行列ＷはＷ＝Ｖλ-1/2として得ることができる。
【００２７】
本発明によれば、白色化インパルス応答＜Ｈ0＞はフィルタ１２によっても出力され、今度はインパルス応答Ｈ0に対して作用することになる：
【数２３】
2007528132.tif 000025
したがって、個々の４×１ベクトル＜ｈm＞を下記のように計算することができる：
【数２４】
2007528132.tif 000026
したがって、本発明が開示する干渉抑止方法が、増加チャネル長問題を生じないことは明らかである。すなわち、＜ｈm＞がｈmと同次元を有することは、数式（９）から明らかである。
【００２８】
次に、図３を参照してわかるように、本発明に準拠するフィルタモジュール１２ｃ（図２）は、個々のｋが１つのシンボルに対応するサンプルｙk（ｋ＝１，．．．，Ｎf）の連続を構成するための第１のモジュール３１と、ノイズプラス干渉相関行列＜Ｒii＞を決定するための次のモジュール３２と、フィルタ済みの白色化サンプル＜ｙk＞＝Ｗｙk（ｋ＝１，．．．，Ｎf）を計算するための第３のモジュール３３とを備えるのが望ましい。
【００２９】
さらに図３を参照すると、実施形態によっては、フィルタ１２が、モジュール３３に後続する追加モジュールを含み、＜ｙk＞＝Ｗｙkを計算できるものでもよい。このようなモジュールは、分数間隔等化器の場合、信号のデシメーションを行わないことになるが、シンボル間隔等化器の場合には、モジュールは信号のデシメーションを行うことになり、さらに、ＤＦＥ等化器のフィードフォーワードフィルタに相当するフィルタを用いて、あるいは、多相整合フィルタによって、信号のフィルタリングを行うことにより、信号のデシメーションが行われることになる。
【００３０】
好適実施形態では、検出器１３はトレリス検出器であり、トレリス検出器の入力はシンボル間隔である。フィードフォーワード判定帰還等化器（ＤＦＥ）のフィルタに相当する（白色ノイズ向けに設計された）プレフィルタによる白色化フィルタＷの出力信号を後で処理することにより、上記シンボル間隔入力を得ることが可能である。式（６）に表されているようにノイズプラス干渉相関行列＜Ｒii＞をほぼ正確に近似することによって、１つのシンボル内の相関のみが取り除かれる。したがって、若干の残差相関が予想される場合もあり、例えば、フィードフォーワードフィルタのその後の最適化の際にこの残差相関を考慮に入れることも可能である。このような後処理を行った後、トレリスビタビ等化器においてフォーニィ（Ｆｏｒｎｅｙ）距離を利用することができる。Ｇ．Ｂｏｔｔｏｍｌｅｙ，Ｓ．Ｃｈｅｎｎａｋｅｓｋｕによる“ＭＬＳＥ受信装置の統一並びに時変チャネルへの拡張”（ＩＥＥＥ会報、情報理論；第４６巻、ｐ．４６４〜４７２、１９９８年４月）などを参照のこと。
【００３１】
上記とは別に、等化器は、Ｂｏｔｔｏｍｌｅｙらによる上記論文にも記載があるＵｎｇｅｒｂｏｅｃｋ距離を採用することも可能である。このような場合、プレフィルタを採用する必要はないが、白色化用の所望のインパルス応答にマッチする多相整合フィルタの採用により、シンボル当たり１つのサンプルに対して白色化フィルタＷの出力のデシメーションを行うことが可能となる。
【００３２】
上記とは別に、等化器はシンボル当たり２以上のサンプルに対して処理を行うことが可能であり、このような場合、さらに別の代替実施形態が存在する。検出器がシンボル当たり２以上のサンプルに対して処理を行うことが可能である場合、プレ白色化処理を行う代わりに、等化器の内部の距離を変更してノイズ相関を考慮に入れることにより同じ結果を得ることが可能となる。さらに詳細には、下式
【数２５】
2007528132.tif 000027
により示される変更されたブランチ距離をユークリッド距離の代わりに利用することが可能であり、
【数２６】
2007528132.tif 000028
がプレ白色化処理後に利用されることになる。
【００３３】
本発明は、（上述のように行うか、別の技法を用いて行うかのいずれであれ）ＩＱ白色化を作動可能にしたり、作動不能にしたりするメカニズムも提供するものである。このような切替えメカニズムは有用である。というのは、同一チャネル干渉を抑えるＩＱ白色化は、２相変調同一チャネル干渉／制限チャネルに対して著しく効果的ではあるが、感度（白色ノイズ）制限チャネルに若干のパフォーマンスロスが生じることが判明しているからである。したがって、本発明は、受信装置におけるＩＱ白色化と非白色化との間での動的切替えに利用可能な切替えアルゴリズムを提供することになる。実施形態によっては以下に説明するようなノイズプラス干渉相関行列＜Ｒii＞の異なる成分を示す相対値のチェックに基づいて切替えを行うものもある。以下でも説明するように、いくつかの別の実施形態では、異なる積
【数２７】
2007528132.tif 000029
の期待値Ｅ［...］のチェックに基づいて上記切替えが行われるものもある。本発明により提供される切替えメカニズムの背後にある着想は、存在するノイズが白色ノイズであるか（このようなケースでは白色化はオフである）、あるいは、非白色ノイズであるか、すなわち存在するノイズが時間的に相関づけられたものであるかどうか（このようなケースでは白色化はオンである）の判定を行うという着想である。
【００３４】
ノイズプラス干渉相関行列＜Ｒii＞の異なる成分を示す相対値のチェックに基づく実施形態では、ノイズが白色であるかどうかは、以下のようにして検出される。上述のように、（自己相関を切り捨てた）ＩＱ白色化フィルタは、ノイズサンプルから得られる４×４（２ＩＱ分割、２オーバサンプリング）相関行列＜Ｒii＞の計算を必要とする。そのため、好適実施形態では、白色化のオン／オフの切替えを行うための距離が＜Ｒii＞の要素の関数として導き出されることになる。
【００３５】
２相変調同一チャネル妨害子の場合、（分数サンプルすなわち１つのシンボル内のサンプル間での）時間相関をＩＱ相関行列＜Ｒii＞の要素の組み合わせとして以下のように表現できることが判明している：
【数２８】
2007528132.tif 000030
したがって、２相変調干渉信号の場合、ＩＱ相関行列の要素から時間相関を得ることが可能であり、サンプルの実数成分と虚数成分間の相関は０にならないことになる。
【００３６】
したがって、ノイズプラス干渉相関行列＜Ｒii＞の異なる成分を示す相対値のチェックに基づいて、実施形態に従って本発明が行う切替えを以下のように予め規定することが可能となる。チャネルが時間的に相関づけられている（すなわちノイズが白色ノイズとなるように感度制限されている）かどうかを示す距離として、
【数２９】
2007528132.tif 000031
を定義する。理解できるように、この距離はノイズプラス干渉相関行列＜Ｒii＞の異なる成分を示す相対値に左右される。この場合、或る所定のしきい値τtcに対してＭtc＞τtcであれば、チャネルは時間的に相関づけられたものとして類別され、白色化が実行される。Ｍtc＞τtcでない場合には白色化はオフになる。
【００３７】
前述したように、別の実施形態では、切替えは、異なる積
【数３０】
2007528132.tif 000032
の期待値Ｅのチェックに基づいて行われるものもある。このような実施形態では、（数）値、
【数３１】
2007528132.tif 000033
の評価が行われる。次いで、白色化を行うかどうかを判定するために、下式、
【数３２】
2007528132.tif 000034
により定義される量Ｍtiを距離として利用して、本願ではＭtiが（用途に依存して決めることができる）或る所定値τtiよりも大きくなったとき、白色化への切替えが行われる。
【００３８】
上述の切替えが行われる双方の実施形態は干渉信号の二次の統計データの観察に基づくものである。他の実施形態ではさらに複雑な測定量に依存するものであってもよい。
【００３９】
したがって、再度図２を参照すると、時間相関が不十分な場合（すなわち、例えばＭtc＜τtcの場合）、スイッチ１２ａは、白色化を行うことなくフィルタリングを行うためにモジュール１２ｃへ切り替わり、そうでない場合には、白色化を行うためにモジュール１２ｂへ切り替わることになる。
【００４０】
上記記載の配置構成は本発明の原理の適用例の例示にすぎないことを理解されたい。本発明の範囲から逸脱することなく、多数の変更、並びに、代替の配置構成を当業者が考案することも可能であり、添付の請求項はこのような変更および配置構成をカバーすることを意図するものである。
【図面の簡単な説明】
【００４１】
【図１】本発明を利用できるタイプのフィルタを備えた受信装置の構成要素を示すブロック図／流れ図である。
【図２】図１のフィルタをさらに詳細に示す、特に、ＩＱ白色化の実行モジュールを示すブロック図／流れ図である。
【図３】図２のＩＱ白色化フィルタモジュールのブロック図／流れ図である。
【図１】
2007528132.tif 000040
【図２】
2007528132.tif 000041
【図３】
2007528132.tif 000042
【国際調査報告】
2007528132.tif 000043